(57)【要約】【課題】構造物を作製するにあたり、表面板材を縦材や横材に容易且つ精度よく固着することができるフレーム材およびこのフレーム材を用いて簡単に組み立てることができる構造物を提供することを目的としている。【解決手段】、床板４ａの裏面４１と対面して配置される表面板材受面２０を有するフレーム材本体２と、長手軸が表面板材受面２０の長手軸に直交するように設けられた脚部３１ａおよびこの脚部３１ａの先端部に設けられて、床材４ａに予め設けられた嵌合溝４２に弾性変形しながら入り込んで、嵌合溝４２壁面で係止される係止片３１ｂを有し、表面板材受面２０の長手軸方向に床板４ａの固定ピッチに合わせて並設された複数の板材係止部３１を備えていることを特徴としている。【選択図】      図４
2018062816.tif 000002
【特許請求の範囲】
【請求項１】
構造物の縦材あるいは横材に用いられ、構造物の表面板材を支持するフレーム材であって、
前記表面板材の裏面と対面して配置される表面板材受面を有するフレーム材本体と、
長手軸が前記表面板材受面の長手軸に直交するように設けられた脚部およびこの脚部の先端部に設けられて、表面板材に予め設けられた嵌合溝に弾性変形しながら入り込んで、前記嵌合溝壁面で係止される弾性係止部を有し、前記表面板材受面の長手軸方向に表面板材の固定ピッチに合わせて並設された複数の板材係止部を備えていることを特徴とするフレーム材。
【請求項２】
弾性係止部が脚部の基端部に向かって離れるように脚部の短手方向両側から延出する２つの係止片で形成されている請求項１に記載のフレーム材。
【請求項３】
板材係止部は、脚部が、脚部の短手軸方向にはみ出る幅をしたベース部にその下端が支持され、
前記ベース部の前記脚部下端よりはみ出た部分に、板材係止部に係止される表面板材の裏面に当接して、表面板材を脚部先端側に付勢する付勢手段を備えている請求項１または請求項２に記載のフレーム材。
【請求項４】
板材係止部は、弾性係止部の係止を阻害しない位置に、脚部から脚部の長手軸に交差するように延出する表面板材の横ずれ防止リブを備えている請求項１〜請求項３のいずれかに記載のフレーム材。
【請求項５】
フレーム材本体が、アルミニウムあるいはアルミニウム合金の押出型材である請求項１〜請求項４のいずれかに記載のフレーム材。
【請求項６】
板材係止部は、板材係止部を表面板材の固定ピッチとなるように連結部を介して連結した樹脂成形品が、フレーム材本体の表面板材受面に固着されて形成されている請求項１〜請求項５のいずれかに記載のフレーム材。
【請求項７】
複数本の請求項１〜請求項３のいずれかに記載のフレーム材が、板材係止部の脚部の長手軸が直線状に並ぶように横材または縦材として配置され、
裏面側に板材係止部の弾性係止部が弾性変形しながら通過可能な幅狭小部を入口側に有し、前記幅狭小部より奥側に、幅狭小部を通過して弾性復元した弾性係止部が壁面で係止される拡幅部を備える嵌合溝が長手方向に連続して設けられた複数の表面板材が、
各フレーム材に跨り、かつ、フレーム材の長手方向に並べて配置されるとともに、前記長手軸が直線状に並ぶ脚部に支持された各弾性係止部が前記拡幅部に嵌まり込んだ状態で各フレーム材に支持固定されていることを特徴とする構造物。
【請求項８】
請求項１〜請求項４のいずれかに記載のフレーム材のうち、少なくとも請求項４に記載のフレーム材を含む複数のフレーム材が、板材係止部の脚部の長手軸が直線状に並ぶように横材または縦材として配置され、
裏面側に板材係止部の弾性係止部が弾性変形しながら通過可能な幅狭小部を入口側に有し、前記幅狭小部より奥側に、幅狭小部を通過して弾性復元した弾性係止部が壁面で係止される拡幅部を備える嵌合溝が長手方向に連続して設けられるとともに、請求項４に記載のフレーム材の横ずれ防止リブに対応する位置にリブ嵌合溝が形成された複数の表面板材が、
各フレーム材に跨り、かつ、フレーム材の長手方向に並べて配置されるとともに、前記長手軸が直線状に並ぶ脚部に支持された各弾性係止部が前記拡幅部に嵌まり込むとともに、前記横ずれ防止リブが前記リブ嵌合溝に嵌まり込んだ状態で各フレーム材に支持固定されていることを特徴とする構造物。
【請求項９】
構造物が、縁台、椅子、テーブル、デッキ床、フェンスからなる群より選ばれたいずれかである請求項７または請求項８に記載の構造物。
【発明の詳細な説明】
【技術分野】
【０００１】
本発明は、構造物の壁やフェンスや床を構成する板材と交差して設けられ、板材を支持する柱などの縦材あるいは根太、大引などの横材に用いられるフレーム材およびこのフレーム材を用いた構造物に関する。
【背景技術】
【０００２】
たとえば、デッキ床は、根太、大引などの横材と交差するように、床を構成する板材を敷き並べるとともに、板材を釘やビス等で横材に固定するようになっている（特許文献１）。
【先行技術文献】
【特許文献】
【０００３】
【特許文献１】特開２００７−２３９３７０号公報
【発明の概要】
【発明が解決しようとする課題】
【０００４】
しかし、板材を１枚ずつ釘やビス等を用いて横材や縦材に固定するのは手間であり、また、精度よく板材を固定するには熟練を要する。
本発明は、上記事情に鑑みて、構造物を作製するにあたり、表面板材を縦材や横材に容易且つ精度よく固着することができるフレーム材およびこのフレーム材を用いて簡単に組み立てることができる構造物を提供することを目的としている。
【課題を解決するための手段】
【０００５】
上記目的を達成するために、本発明にかかるフレーム材は、構造物の縦材あるいは横材に用いられ、構造物の表面板材を支持するフレーム材であって、前記表面板材の裏面と対面して配置される表面板材受面を有するフレーム材本体と、長手軸が前記表面板材受面の長手軸に直交するように設けられた脚部およびこの脚部の先端部に設けられて、表面板材に予め設けられた嵌合溝に弾性変形しながら入り込んで、前記嵌合溝壁面で係止される弾性係止部を有し、前記表面板材受面の長手軸方向に表面板材の固定ピッチに合わせて並設された複数の板材係止部を備えていることを特徴としている。
【０００６】
本発明において、上記板材係止部は、特に限定されないが、たとえば、弾性係止部が脚部の基端部に向かって離れるように脚部の短手方向両側から延出する２つの係止片で形成されている構成とすることが好ましい。
すなわち、弾性係止部が、脚部を挟んで左右バランスよく弾性変形し、嵌合溝への嵌合をスムーズに行えるとともに、所定の嵌合位置まで嵌合後、バランスよく嵌合溝の壁面に係止され、表面板材を安定した状態に固定できる。
【０００７】
また、本発明において、弾性係止部は、脚部の長手軸方向に間欠的に複数個所設けるようにしてもよい。
板材係止部は、脚部が、脚部の短手軸方向にはみ出る幅をしたベース部にその下端が支持され、前記ベース部の前記脚部下端よりはみ出た部分に、板材係止部に係止される表面板材の裏面に当接して、表面板材を脚部先端側に付勢する付勢手段を備えている構成や、弾性係止部の係止を阻害しない位置に、脚部から脚部の長手軸に交差するように延出する表面板材の横ずれ防止リブを備えている構成としてもよい。
【０００８】
本発明において、フレーム材本体としては、特に限定されないが、アルミニウムあるいはアルミニウム合金の押出型材が好適であり、表面が塗装されていても構わない。
【０００９】
本発明において、フレーム材は、特に限定されないが、たとえば、板材係止部を所定間隔に配置した樹脂成形品を予め成形し、この樹脂成形品をフレーム材本体の表面板材受面に固着することによって製造することができる。
本発明において、表面板材受面とは、表面板材にかかる荷重を受ける面という意味で、表面板材の裏面が直接接触しなくても構わない。
【００１０】
本発明にかかる構造物は、上記横ずれ防止リブを設けていない複数本のフレーム材が、板材係止部の脚部の長手軸が直線状に並ぶように横材または縦材として配置され、裏面側に板材係止部の弾性係止部が弾性変形しながら通過可能な幅狭小部を入口側に有し、前記幅狭小部より奥側に、幅狭小部を通過して弾性復元した弾性係止部が壁面で係止される拡幅部を備える嵌合溝が長手方向に連続して設けられた複数の表面板材が、各フレーム材に跨り、かつ、フレーム材の長手方向に並べて配置されるとともに、前記長手軸が直線状に並ぶ脚部に支持された各弾性係止部が前記拡幅部に嵌まり込んだ状態で各フレーム材に支持固定されていることを特徴としている。
【００１１】
また、本発明にかかる構造物は、上記のフレーム材のうち、少なくとも１本の横ずれ防止リブを備えたフレーム材を含む複数のフレーム材が、板材係止部の脚部の長手軸が直線状に並ぶように横材または縦材として配置され、裏面側に板材係止部の弾性係止部が弾性変形しながら通過可能な幅狭小部を入口側に有し、前記幅狭小部より奥側に、幅狭小部を通過して弾性復元した弾性係止部が壁面で係止される拡幅部を備える嵌合溝が長手方向に連続して設けられるとともに、前記フレーム材の横ずれ防止リブに対応する位置にリブ嵌合溝が形成された複数の表面板材が、各フレーム材に跨り、かつ、フレーム材の長手方向に並べて配置されるとともに、前記長手軸が直線状に並ぶ脚部に支持された各弾性係止部が前記拡幅部に嵌まり込むとともに、前記横ずれ防止リブが前記リブ嵌合溝に嵌まり込んだ状態で各フレーム材に支持固定されていることを特徴としている。
【００１２】
本発明にかかる構造物としては、本発明のフレーム材が縦材あるいは横材として用いられていれば、特に限定されないが、縁台、椅子、テーブル、デッキ床、フェンスなどが挙げられる。
【００１３】
本発明にかかる構造物に用いられる表面板材の材質としては、特に限定されないが、  天然木材、合成木材、樹脂、金属材料成形品およびこれらの複合材料が挙げられ、表面が塗装や樹脂被覆されていても構わない。
【発明の効果】
【００１４】
本発明にかかるフレーム材は、以上のように、前記表面板材の裏面と対面して配置される表面板材受面を有するフレーム材本体と、長手軸が前記表面板材受面の長手軸に直交するように設けられた脚部およびこの脚部の先端部に設けられて、表面板材に予め設けられた嵌合溝に弾性変形しながら入り込んで、前記嵌合溝壁面で係止される弾性係止部を有し、前記表面板材受面の長手軸方向に表面板材の固定ピッチに合わせて並設された複数の板材係止部を備えているので、複数本の上記フレーム材を、縦材あるいは横材として平行に並べ、かつ、板材係止部の脚部の長手軸が直線状に並ぶように配置した状態で、表面板材の裏面側に設けられた嵌合溝に弾性係止部を弾性変形させながら係止位置まで押し込んで嵌合溝の壁面に係止させることによってフレーム材に支持固定することができる。
すなわち、釘やビスを用いることなく、だれでも正確にかつ容易に縦材あるいは横材に表面板材を支持固定することができる。
【図面の簡単な説明】
【００１５】
【図１】本発明のフレーム材の第１の実施の形態をあらわす要部平面図である。
【図２】図１の側面図である。
【図３】図１の斜視図である。
【図４】図１〜図３のフレーム材に表面板材を装着した状態をあらわすフレーム材の側面図である。
【図５】図４の表面板材をあらわし、同図（ａ）がその側面図、同図（ｂ）がその底面図である。
【図６】図１〜図３のフレーム材を用いた構造物の１例である縁台の平面図である。
【図７】図６の縁台の側面図である。
【図８】図６の縁台のＸ−Ｘ線断面図である。
【図９】図６の縁台の斜視図である。
【図１０】図６の縁台の脚部をあらわす図であって、同図（ａ）はその平面図、同図（ｂ）はその側面図、同図（ｃ）はその正面図である。
【図１１】本発明のフレーム材の第２の実施の形態をあらわす要部平面図である。
【図１２】図１１の側面図である。
【図１３】図１１のフレーム材に装着される表面板材をあらわし、同図（ａ）がその側面図、同図（ｂ）がその底面図である。
【図１４】本発明のフレーム材の第３の実施の形態をあらわす要部平面図である。
【図１５】図１４の側面図である。
【図１６】図１１のフレーム材に他の態様の床板を支持固定した状態をあらわす側面図である。
【発明を実施するための形態】
【００１６】
以下に、本発明を、その実施の形態をあらわす図面を参照しつつ詳しく説明する。
図１〜図３は、本発明にかかるフレーム材の第１の実施の形態をあらわしている。
【００１７】
図１〜図３に示すように、このフレーム材１ａは、フレーム材本体２と、板材係止部材３ａを備えている。
フレーム材本体２は、アルミニウムあるいはアルミニウム合金の押出型材に表面塗装されていて、一面（図１〜図３では上面）が、表面板材受部２０となった筒状部２１と、この筒状部２１の両側面から背面側に延出するスカート部２２を備えている。
【００１８】
板材係止部材３ａは、樹脂成形品であって、板材係止部３１と、ベース部３２と、第１連結部３３ａと、第２連結部３３ｂを備えている。
板材係止部３１は、脚部３１ａと、２つの弾性係止部を形成する４枚の係止片３１ｂを備えている。
【００１９】
脚部３１ａは、その長手軸方向が、フレーム材本体２の長手軸方向に直交するように設けられている。
４枚の係止片３１ｂは、脚部３１ａの長手方向両側にそれぞれ対となるように２枚ずつ配置されていて、脚部３１ａの長手方向両側にそれぞれ弾性係止部を形成するように、対となる２枚の係止片３１ｂが、短手方向から脚部３１ａを両側から挟み込むとともに、それぞれ脚部３１ａの基端部に向かって脚部３１ａとの間隔が広がり、側面視で、脚部３１ａとともに矢印形を形成するように設けられている。
【００２０】
ベース部３２は、脚部３１ａの基端を支持するように設けられているとともに、幅方向の一方、ビス孔３２ｂが設けられていて、ビス孔３２ｂに挿入されたビス３５をフレーム材本体２にビス込むことによってフレーム材本体２に固定されている。
また、隣り合う２つのベース部３２は、ビス孔３２ｂ同士が、脚部３１ａを挟んで反対側に配置されるように設けられている。
【００２１】
第１連結部３３ａおよび第２連結部３３ｂは、ベース部３２とベース部３２を連結するように、ベース部３２とベース部３２の間に交互に配置されている。
また、第１連結部３３ａは、第２連結部３３ｂより長くなっているとともに、ベース部３２のビス孔３２ｂの形成された側の面が対面配置された状態で、ベース部３２とベース部３２を連結している。
一方、第２連結部３３ｂは、ベース部３２のビス孔３２ｂの形成されていない側の面が対面配置された状態で、ベース部３２とベース部３２を連結している。
すなわち、第１連結部３３ａによって連結された部分の脚部３１ａ間の距離が、第２連結部３３ｂによって連結された部分の脚部３１ａ間の距離より長くなっている。
【００２２】
このフレーム材１ａは、上記のようになっており、たとえば、図６〜図９に示す構造物としてのキット化された縁台５の表面板材としての図４に示す床板４ａを支持する根太材（横材）として用いることができる。
すなわち、縁台５は、３本のフレーム材１ａと、各フレーム材１ａの両端および中間部で各フレーム材１ａを支持する計９本（図では一部しかあらわれていない）の脚５４と、多数の床板４ａと、図１０に示す８つ（図１０では４つしかあらわれていない）のＬ型金具５５と、２枚の第１側板５１と、２枚の第２側板５２を組み立てることによって形成されている。
【００２３】
上記３本のフレーム材１ａは、同じ長さになっている。
３本のうち、１本のフレーム材１ａのフレーム材本体２には、その長手方向両端の、筒状部２１の両側面に、後述する第２側板５２のビス５３のねじ受部５５ｂを形成するＬ型金具５５のＬ字の一方の辺５５ａがフレーム材本体２の端面に面一となるようにビス５５ｃによって固定されている。
また、他の２つのフレーム材１ａフレーム材本体２には、その長手方向両端の、筒状部２１の一方の側面に、第２側板５２のビス５３のねじ受部５５ｂを形成するＬ型金具５５がＬ字の一方の辺５５ａがフレーム材本体２の端面に面一となるようにビス５５ｃによって固定されている。
【００２４】
各床板４ａは、天然木材を加工して形成されていて、すべて同じに形成されていて、その底面４１に、床板４ａの長手軸に平行な２条の嵌合溝４２が穿設されている。
嵌合溝４２と嵌合溝４２の間隔は、第１連結部３３ａによって連結された部分の脚部３１ａのピッチに一致するようになっている。
また、各嵌合溝４２は、床板４ａの両端で開口しているとともに、入口が、弾性変形した係止片３１ｂおよび脚部３１ａが通過可能で、奥側に弾性回復してかさ状の開いた２対の係止片３１ｂが嵌まり込み，係止片３１ｂの先端が壁面に係止されて床板４ａを固定支持状態とする側面視略台形状をした拡幅部４２ｂを備えている。
【００２５】
第１側板５１は、床板４ａと同じ天然木材を加工して得られ、床板４ａと同じ長さに形成されている。
第２側板５２は、床板４ａと同じ天然木材を加工して得られ、床板４ａより第１側板５１の厚みの２倍分の長さだけ長くなっている。
脚５４は、フレーム材本体２のスカート部２２間に嵌まり込む大きさのアルミニウムあるいはアルミニウム合金の押出型材に表面塗装された筒状体で形成されている。
【００２６】
上記３本のフレーム材１ａは、筒状部２１の両側にＬ型金具５５がビス固定されたフレーム材１ａが中央に、他の２本のフレーム材１ａがその筒状部２１の一側にビス固定されたＬ型金具５５が中央のフレーム材１ａのＬ型金具５５と対面するように配置されて、長手方向の両端が、それぞれ第２側板５２によって連結される。
第２側板５２は、両側のフレーム材本体２の側壁からその長手方向の両端が第１側板５１の厚み分はみ出るとともに、上端部がフレーム材本体２の上面から板材係止部３１に係止される床板４ａの上面までの長さ分だけ、フレーム材本体２の表面板材受面２０からはみ出るように、４つのＬ型金具５５のねじ受部５５ｂにビス５３をねじ込むことによって固定される。
【００２７】
第１側板５１は、両側に配置されたフレーム材１ａのフレーム材本体２の側壁面にフレーム材本体２の上面から板材係止部３１に係止される床板４ａの上面までの長さ分だけ、フレーム材本体２の上面からはみ出るようにねじ固定される。
脚５４は、３本のフレーム材１ａのフレーム材本体２の両端および中間部でその上端がスカート部２２とスカート部２２の間に嵌まり込み、スカート部２２側からねじ込まれたビス５４ａによってねじ固定される。
【００２８】
床板４ａは、上記のようにして枠状に組み立てられた３本のフレーム材１ａの対応する板材係止部３１の脚部３１ａの長手軸の直上に嵌合溝４２の入口が臨むように配置された状態で、表面板材受面２０に向かって係止片３１ｂが拡幅部４２ｂまで入り込むまで押し込むことで３本のフレーム材１ａに支持固定される。
【００２９】
上記フレーム材１ａは、上記のように、床板４ａの嵌合溝４２のピッチにあわせて予め板材係止部３１が設けられている。
したがって、複数本のフレーム材１ａを平行かつ板材係止部３１の脚部３１ａの長手軸が一直線上に並ぶように配置しておけば、釘やビスなどを用いなくても、正確かつ容易に床板４ａを所定間隔でフレーム材に支持固定することができる。
【００３０】
また、上記縁台５の構造によれば、床板４ａの嵌合溝４２が両端で開口しているので、少なくともいずれか一方の第１側板５１を取り外せば、床板４ａが取り外した第１側板５１側へスライド可能になる。
したがって、万一、床板４ａに、交換の必要が生じた場合においても、第１側板５１を取り外し、交換が必要な床板４ａのみをスライドさせれば、床板４ａを容易に取り外すことができる。
【００３１】
そして、取り外した床板４ａの位置に、新しい床板４ａを上記と同様にして取り付ければ縁台５の補修を容易に行うことができる。
また、縁台５は、上記のように第１側板５１を備えているので、第１側板５１を取り外さない限り、床板４ａが容易に離脱することがない。
【００３２】
図１１および図１２は、本発明にかかるフレーム材の第２の実施の形態をあらわしている。
図１１および図１２に示すように、このフレーム材１ｂは、板材係止部材３ｂの脚部３１ａに横ずれ防止リブ３６を備えている以外は、上記フレーム材１ａと同様になっている。
すなわち、横ずれ防止リブ３６は、係止片３１ｂからずれた脚部３１ａの長手方向中央で、ビス孔３２ｂが設けられていない側に平板状に突設されている。
【００３３】
そして、このフレーム材１ｂは、図１３に示すように、リブ嵌合溝４４を備えた床板４ｂを用いることによって第１側板５１を設けなくても、以下のようにして床板４ｂの横ずれを防止することができる。
複数本のフレーム材１ｂを上記フレーム材１ａと同様にして平行かつ脚部３１ａの長手軸が一直線上になるように複数本所定間隔に設ける一方、図１３に示すように、横ずれ防止リブ３６に対応する部分に嵌合溝に連通するように横ずれリブ嵌合溝４４を設けた床材４ｂを作製し、係止片３１ｂが嵌合溝４２の拡幅部４２ｂに入り込ませるとともに、横ずれ防止リブ３６が横ずれリブ嵌合溝４４に嵌合させるように床板４ｂをフレーム材１ｂに支持固定する。
【００３４】
すなわち、横ずれ防止リブ３６が横ずれリブ嵌合溝４４に嵌合しているので、床板４ｂに横ずれ方向の力が加わっても床板４ｂが横ずれをおこすことがない。
したがって、キットの部品点数を少なくすることができる。
【００３５】
図１４および図１５は、本発明にかかるフレーム材の第３の実施の形態をあらわしている。
図１４および図１５に示すように、このフレーム材１ｃは、板材係止部材３ｃのベース部３２にビス孔が設けられておらす、ベース部３２が接着によりフレーム材本体２に固着されているとともに、脚部３１ａの長手方向中央での臨む係止片３１ｂの嵌合溝４２への嵌合を阻害しない位置に切り起こし状に設けられた付勢手段としての弾性片３７が脚部３１ａを挟むように設けられている以外は、上記フレーム材１ａと同様になっている。
【００３６】
すなわち、このフレーム材１ｃは、上記フレーム材１ａと同様にして床材４ａを支持固定できるとともに、板材係止部３１を係止片３１ｂが拡幅部４２ｂに達する前ににが床板４ａの裏面に当接し、弾性片３７を弾性変形させながら、係止片３１ｂが完全に拡幅部４２ｂ内に入り込むまで床板４ａを押し下げるようになっている。
したがって、係止片３１ｂ部分が完全に拡幅部４２ｂ内に入り込んだ状態で、床板４ａは、弾性片３７によって常に上方に付勢され、しっかりとした固定状態を保つことができる。
また、弾性片３７がクッション材としても働く、床板４ａ上に座ったり、床板４ａ上を歩いたりする場合に使用感がよくなる。
【００３７】
図１６は、図１１のフレーム材１ｂに用いる床板の他の態様をあらわしている。
図１６に示すように、この床板４ｃは、嵌合溝４５の入口側が幅広部４５ａとなっていて、嵌合溝４５の奥側が幅狭小部４５ｂとなっている以外は、図１３に示す床板４ｂと同様になっている。
【００３８】
すなわち、幅狭小部４４ｂの幅Ｗ１は、係止片３１ｂが弾性変形して、その弾性復元力で幅狭小部４４ｂの壁面に圧接状態となり、床板４ｃが通常の使用では離脱しないような幅になっている。
一方、幅広部４４ａは、弾性復元した係止片３１ｂが壁面に接触しない幅Ｗ２となっているとともに、幅狭小部４４ｂ側がテーパ状になっている。
【００３９】
したがって、通常の使用ではかからない力を床板４ｃの上方に加えて、係止片３１ｂの下端が幅広部４４ｂのテーパ部分に入り込む程度まで床板４ｃを引き上げると、係止片３１ｂの弾性復元力によって容易に床板４ｃを取り外すことができる。
【００４０】
本発明は、上記の実施の形態に限定されない。たとえば、上記の実施の形態では、フレーム材本体がスカート部を備えていたが、スカート部が無くても構わない。
また、上記の実施の形態では、板材係止部材がベース部をビスによってフレーム材本体に固定されていたが、ベース部を溶接や接着剤によって固定するようにしても構わない。
【００４１】
上記の実施の形態では、床板の底面に２条の嵌合溝が形成されていたが、嵌合溝は１条でも３条以上でも構わない。
上記の実施の形態では、キット化されていたが、長尺のフレーム材および表面板材を施工現場で、必要に応じて適宜、所定の長さに切断しても構わない。
【００４２】
上記の実施の形態では、床板が天然木材であったが、合成木材で形成されていたり、樹脂で形成されていたり、金属で形成されていたり、これらの複合材料でも構わないし、表面に塗装が施されていたり、金属補強層が表面に設けられていたり、樹脂コートされていても構わない。
上記の実施の形態では、２枚の係止片によって１つの弾性係止部を形成していたが、１枚の係止片でもよいし、脚部から突出する弾性材からなる突起を設けるようにしてもよい。
【００４３】
また、上記第２の実施の形態の横ずれ防止リブと、弾性片の両方を備えていても構わない。
【符号の説明】
【００４４】
１ａ，１ｂ,１ｃ  フレーム材
２  フレーム材本体
２０  表面板材受部
２１  筒状部
２２  スカート部
３ａ，３ｂ，３ｃ  板材係止部材
３１  板材係止部
３１ａ  脚部
３１ｂ  係止片（弾性係止部）
３２  ベース部
３２ｂ  ビス孔
３３ａ  第１連結部
３３ｂ  第２連結部
３５  ビス
３６  横ずれ防止リブ
３７  弾性片（付勢手段）
４ａ，４ｂ，４ｃ  床板（表面板材）
４１  底面
４２  嵌合溝
４２ａ  幅狭小部
４２ｂ  拡幅部
４４  リブ嵌合溝
４５  嵌合溝
４５ａ  幅広部
４５ｂ  幅狭小部
５  縁台（構造物）
５１  第１側板
５２  第２側板
５３  ビス
５４  脚
５４ａ  ビス
５５  Ｌ型金具
５５ａ  Ｌ字の一方の辺
５５ｂ  ねじ受部
５５ｃ  ビス
【図１】
2018062816.tif 000003
【図２】
2018062816.tif 000004
【図３】
2018062816.tif 000005
【図４】
2018062816.tif 000006
【図５】
2018062816.tif 000007
【図６】
2018062816.tif 000008
【図７】
2018062816.tif 000009
【図８】
2018062816.tif 000010
【図９】
2018062816.tif 000011
【図１０】
2018062816.tif 000012
【図１１】
2018062816.tif 000013
【図１２】
2018062816.tif 000014
【図１３】
2018062816.tif 000015
【図１４】
2018062816.tif 000016
【図１５】
2018062816.tif 000017
【図１６】
2018062816.tif 000018